(57)【要約】【課題】指輪として携帯することができる小容量ボトルを提供する【解決手段】金型３１は、内容物を収容するためのリング状の収容部形成部３２の内側周辺をパリソンを押し潰すコンプレッションゾーン形成部３３とし、リング状の収容部３２は、口形成部３５と直接連通している。また、コンプレッションゾーン形成部２３の外周には食い切り刃が形成され、コンプレッションゾーン形成部３３によって押し潰された部分がそのまま切り取られた状態の成形品を製造することができる。この金型３１では、コンプレッションゾーン形成部３３の全体が食い切り部３４となっている。この金型３１を用いてダイレクトブロー成形を実施することにより、口部４５と直接連通するリング状の収容部４２の内側が貫通孔４４となり、指輪の様な形状の小容量ボトル４１が製造される。【選択図】  図２
2011173436.tif 000002
【特許請求の範囲】
【請求項１】
ブロー成形によって製造され、内容物を出し入れする口部に着脱可能なキャップを装着される小容量ボトルの製造方法であって、以下の構成からなる金型を用いることを特徴とする小容量ボトルの製造方法。
（１）内容物を収容するための収容部を形成する収容部形成部の内側において円形にパリソンを押し潰すコンプレッションゾーン形成部を備えたキャビティ形状の金型を用いること。
（２）前記コンプレッションゾーン形成部には、押し潰されたパリソンを食い切って貫通孔を形成するための食い切り刃が形成されていること。
（３）前記収容部形成部は、前記コンプレッションゾーン形成部の周縁を取り囲むリング状空間を構成し、該リング状空間の上端が口形成部と直接連通するキャビティ形状となっていること。
【請求項２】
さらに、以下の構成をも備えたことを特徴とする請求項１記載の小容量ボトルの製造方法。
（１−１）前記金型は、前記コンプレッションゾーン形成部が前記収容部形成部のほぼ中央部においてパリソンを円形に押し潰す様に構成されていること。
【請求項３】
ブロー成形によって製造され、内容物を出し入れする口部に着脱可能なキャップを装着される小容量ボトルであって、以下の構成を備えていることを特徴とする小容量ボトル。
（４）内容物を収容するための収容部が、前記口部と連通するリング状空間によってに構成され、該リング状空間の内側はそのほぼ中央部が指を挿入して指輪として携帯できるサイズの貫通孔とされていること。
【発明の詳細な説明】
【技術分野】
【０００１】
本発明は、粉体や液体等を収納して用いることのできる小容量のボトルに係り、特に、装飾性に優れ、携帯に便利な小容量ボトルに関するものである。
【背景技術】
【０００２】
従来、試供品を提供する小容量の容器に関し、種々の提案がなされている（図８参照）。これらは、サンプルボックス、台紙、冊子、郵便物等に試供品容器を嵌め込む方法を提案するもの（特許文献１〜７）、商品と共に包装する方法を提案するもの（特許文献８）、単体としての容器を提案するもの（特許文献９，１０）である。
【特許文献１】実開平６−１４０６９号（図１）
【特許文献２】特開２００１−１４６２５９号（図１）
【特許文献３】実開平７−１３７５９号（図１）
【特許文献４】特表２００４−５１９３９０（図４）
【特許文献５】特開平１０−２３６５３０号（図２，図３）
【特許文献６】特開２００１−５８６７２（図２，図９）
【特許文献７】特開平９−２２６８３０（図１）
【特許文献８】実用新案登録第３０４７７３７号（図１）
【特許文献９】特開平７−３０９３７０号（図１）
【特許文献１０】特表平８−５０７２３１号（図１）
【発明の概要】
【発明が解決しようとする課題】
【０００３】
従来のこれら小容量の容器の多くは使い捨てのもので無駄が多かった。
【０００４】
使い捨てではないタイプのものは、容器が小型であるが故に紛失し易く、その結果、再びサンプルボックスや台紙にはめ直すといった方法で保管する必要があった。
【０００５】
そこで、本発明は、試供品等の提供に適する小容量ボトルであって、携帯に便利で、紛失し難い携帯方法をとることができる小容量ボトルを提供することを目的とする。
【課題を解決するための手段】
【０００６】
上記目的を達成するためになされた本発明の小容量ボトルの製造方法は、ブロー成形によって製造され、内容物を出し入れする口部に着脱可能なキャップを装着される小容量ボトルの製造方法であって、以下の構成からなる金型を用いることを特徴とする。
（１）内容物を収容するための収容部を形成する収容部形成部の内側において円形にパリソンを押し潰すコンプレッションゾーン形成部を備えたキャビティ形状の金型を用いること。
（２）前記コンプレッションゾーン形成部には、押し潰されたパリソンを食い切って貫通孔を形成するための食い切り刃が形成されていること。
（３）前記収容部形成部は、前記コンプレッションゾーン形成部の周縁を取り囲むリング状空間を構成し、該リング状空間の上端が口形成部と直接連通するキャビティ形状となっていること。
なお、さらに、以下の構成をも備えることが望ましい。
（１−１）前記金型は、前記コンプレッションゾーン形成部が前記収容部形成部のほぼ中央部においてパリソンを円形に押し潰す様に構成されていること。
【０００７】
上記目的を達成するためになされた本発明の小容量ボトルは、ブロー成形によって製造され、内容物を出し入れする口部に着脱可能なキャップを装着される小容量ボトルであって、以下の構成を備えていることを特徴とする。
（４）内容物を収容するための収容部が、前記口部と連通するリング状空間によってに構成され、該リング状空間の内側はそのほぼ中央部が指を挿入して指輪として携帯できるサイズの貫通孔とされていること。
【発明の効果】
【０００８】
本発明による小容量ボトルは、指輪の如く携帯することができ、携帯に便利で、紛失し難いものとなる。
【図面の簡単な説明】
【０００９】
【図１】実施例１の金型の平面図である。
【図２】実施例１の小容量ボトルを示し、（Ａ）は平面図、（Ｂ）は正面図、（Ｃ）右側面図、（Ｄ）は底面図、（Ｅ）はｂ−ｂ断面図である。
【図３】実施例１の小容量ボトルの具体的成形例を示し、（Ａ）は平面図、（Ｂ）は正面図、（Ｃ）は右側面図、（Ｄ）は底面図である。
【図４】実施例２の金型の平面図である。
【図５】実施例２の小容量ボトルの具体的成形例を示し、（Ａ）は平面図、（Ｂ）は正面図、（Ｃ）は右側面図、（Ｄ）は底面図である。
【図６】実施例３の斜視図である。
【図７】実施例３の斜視図である。
【図８】従来例の説明図である。
【発明を実施するための形態】
【００１０】
以下に、本発明を実施するための形態を、いくつかの実施例に基づいて説明する。
【実施例１】
【００１１】
図１の金型３１は、内容物を収容するためのリング状の収容部形成部３２の内側周辺をパリソンを押し潰すコンプレッションゾーン形成部３３としている。黒く塗り潰した部分である。リング状の収容部３２は、口形成部３５と直接連通している。また、コンプレッションゾーン形成部３３の外周には食い切り刃が形成されている。従って、この金型３１では、コンプレッションゾーン形成部２３によって押し潰された部分がそのまま切り取られた状態の成形品を製造することができる。この金型３１では、コンプレッションゾーン形成部３３の全体が食い切り部３４となっている。
【００１２】
この金型３１を用いてダイレクトブロー成形を実施することにより、図２に示す様な小容量ボトル４１を製造することができる。即ち、図示の様に、口部４５と直接連通するリング状の収容部４２の内側が貫通孔４４となり、指輪の様な形状の小容量ボトル４１が製造される。
【００１３】
図３は、実施例１の小容量ボトルの具体的な成形例にキャップを装着した状態を示している。なお、背面図は正面図と対称に表れ、左側面図は右側面図と対称に表れる。
【実施例２】
【００１４】
図４の金型５１は、金型３１とほぼ同じ構成であるが、収容部形成部５２の外周が花びら形状にされている。なお、５５は口形成部、５３は食い切り部５４と重なるコンプレッションゾーン形成部である。
【００１５】
図５は、実施例２の小容量ボトルの具体的な成形例にキャップを装着した状態を示している。なお、背面図は正面図と対称に表れ、左側面図は右側面図と対称に表れる。
【実施例３】
【００１６】
実施例３は、指輪としたものである。図６は、実施例２において具体的に成形した小容量ボトルを指に装着した状態を示す。また、図７に示す様に、キャップを種々に装飾されたものにすることで、より一層指輪として身に付けたいという気持ちを高めて紛失防止に役立たせることもできる。
【００１７】
以上、本発明の実施形態を説明したが、本発明はこれらの実施形態に限定されるものではなく、その要旨を逸脱しない範囲内で種々に実施することができる。
【産業上の利用可能性】
【００１８】
試供品等を提供するための小容量ボトル、小分けして持ち歩く携帯用の小容量ボトルとして利用することができ、単なる容器としての利用に留まらず、アクセサリとしての用途にも適するものである。
【符号の説明】
【００１９】
３１・・・金型
３２・・・収容部形成部
３３・・・コンプレッションゾーン形成部
３４・・・食い切り部
３５・・・口形成部
４１・・・小容量ボトル
４２・・・収容部
４４・・・貫通孔
４５・・・口部
５１・・・金型
５２・・・収容部形成部
５３・・・コンプレッションゾーン形成部
５４・・・食い切り部
５５・・・口形成部
【図１】
2011173436.tif 000003
【図２】
2011173436.tif 000004
【図３】
2011173436.tif 000005
【図４】
2011173436.tif 000006
【図５】
2011173436.tif 000007
【図６】
2011173436.tif 000008
【図７】
2011173436.tif 000009
【図８】
2011173436.tif 000010